(57)【要約】【課題】ドアが閉まった状態において、ドアの閉鎖状態を維持するような十分な閉鎖力を持たせると共に、該閉鎖力を調整可能とする。【解決手段】スクリーン本体３と該本体３に対して開閉可能に設けたスクリーンドア４とからなる防火スクリーンにおいて、該スクリーン本体３の下端には座板６が、該スクリーンドア４の下端にはドア部座板９がそれぞれ設けてあり、該ドア部座板９の一方の端部が丁番１０を介して該座板６に対して回動可能に連結されており、丁番１０の軸部１３は、上下方向に延出すると共に、スクリーンドア４の閉鎖状態において、軸部１３の下端側がスクリーンドア４の面から離隔するように傾斜している。【選択図】  図３
2004150050.tif 000002
【特許請求の範囲】
【請求項１】
二枚の板状体を軸部を介して互いに回動自在に連結してなる丁番において、該軸部は、該板状体の面に対して、軸部の一端側が該面から離隔するように傾斜していることを特徴とする丁番。
【請求項２】
スクリーン本体と該本体に対して開閉可能に設けたスクリーンドアとからなる防火スクリーンにおいて、該スクリーン本体の下端には座板が、該スクリーンドアの下端にはドア部座板がそれぞれ設けてあり、該ドア部座板の一方の端部が丁番を介して該座板に対して回動可能に連結されており、該丁番の軸部は、上下方向に延出すると共に、該スクリーンドアの閉鎖状態において、該軸部の下端側がスクリーンドアの面から離隔するように傾斜していることを特徴とするドア部を有する防火スクリーン。
【請求項３】
請求項２において、スクリーン本体下端の座板に対しドア部座板の角度を上下方向に調整可能としたことを特徴とする丁番を用いた防火スクリーン。
【発明の詳細な説明】
【０００１】
【発明の属する技術分野】
本発明は、ドア部を有する防火スクリーン及び該ドア部に用いられる丁番に関するものである。
【０００２】
【従来の技術】
防火用シートシャッターにおいては避難用開口部を設ける必要があることから、防火スクリーンに開閉自在のスクリーンドアを形成して避難用開口部を構成している。このようなスクリーンドアにおいては、防火・遮煙性能を確保するべく、スクリーンドアの戸先側と、スクリーン本体との間に重合部を形成する一方、スクリーンドアの下端には、スクリーン本体の下端の座板とは別体のドア部座板を設け、該ドア部座板の基端側を丁番を介してスクリーン本体の座板に回動可能に装着している。
【０００３】
図７は、ドア部座板とスクリーン本体の座板とを連結する従来の丁番を例示する図である。図７の上図では、座板及びドア部座板の面内において丁番の軸部が傾斜状に配設されている（類似の構成を有する丁番が特許第３０８８６７３号に開示されている）。図７の下図には、板ばね丁番が示してある（類似の構成を有する丁番が特開２０００−１４８１８に開示されている）。しかしながら、これらの丁番では、スクリーンドアが閉まったところで閉鎖力が０なので、スクリーンドアが閉まった状態において、そのスクリーンドアの閉鎖状態を維持するような十分な閉鎖力はスクリーンドアに作用せず、したがって、スクリーン本体とスクリーンドアとの間に隙間が発生するおそれがあった。
【０００４】
また、火災時に、防火用シートシャッターが防火区画を形成した状態において、火災圧によりシートシャッターのスクリーン膨らんで、座板が持ち上がるのを防止するべく、図６に示すように、予めスクリーンの下方部位を持ち上がり分だけ撓ませる場合がある。しかしながら、スクリーンが撓んでいる時にスクリーンドアが開放されると、撓んでいるが故に、スクリーンドアが閉鎖状態に戻りにくい傾向がある。
【０００５】
【発明が解決しようとする課題】
本発明の目的は、ドアが閉まった状態において、ドアの閉鎖状態を維持するような十分な閉鎖力を持たせると共に、該閉鎖力を調整可能とする丁番を提供することにある。本発明の他の目的は、防火スクリーンにおいて、スクリーンドアが閉まった状態において、ドアの閉鎖状態を維持するような十分な閉鎖力を持たせると共に、スクリーンドアの閉鎖力を調整可能とすることにある。
【０００６】
【課題を解決するための手段】
かかる課題を達成するために本発明が採用した技術手段は、二枚の板状体を軸部を介して互いに回動自在に連結してなる丁番において、該軸部は、該板状体の面に対して、軸部の一端側が該面から離隔するように傾斜していることを特徴とする丁番である。また、本発明が採用した防火スクリーンは、スクリーン本体と該本体に対して開閉可能に設けたスクリーンドアとからなる防火スクリーンにおいて、該スクリーン本体の下端には座板が、該スクリーンドアの下端にはドア部座板がそれぞれ設けてあり、該ドア部座板の一方の端部が丁番を介して該座板に対して回動可能に連結されており、該丁番の軸部は、上下方向に延出すると共に、該スクリーンドアの閉鎖状態において、該軸部の下端側がスクリーンドアの面から離隔するように傾斜していることを特徴とする。
【０００７】
具体的には、該丁番は、二枚の板状体を軸部を介して互いに回動自在に連結してなる丁番において、該軸部を該板状体の面に対して傾斜させたものである。好ましくは、該座板は水平状のフラット部と垂直状の立ち上がり部とから構成され、該ドア部座板は垂直状の立ち上がり部とその下端に設けたカバー体とから構成される。該座板の立ち上がり部は、該ドア部座板の位置に対応して切り欠かれている。丁番の二枚の板状体は、座板の立ち上がり部の面部、ドア部座板の立ち上がり状の面部に連結される。丁番の軸部は、その下端側が、座板の立ち上がり部の面及びドア部座板の立ち上がり部の面から離隔するように傾斜している。
【０００８】
また、該ドア部座板の角度を調整可能とすることが好ましい。具体的には、スクリーンドアの戸先側は下方に沈みがちなので、組立て時に、ドア部座板の角度を調節することで予めスクリーンドアの戸先側を若干上げておくことが望ましい。
【０００９】
【発明の実施の形態】
本発明の実施の形態を図面に基づいて説明する。図１において、上図は防火用シートシャッターの全体正面図である。建物内部の防火区画部位の上方には左右方向に延出する巻取シャフト１が軸架されており、該部位の左右の壁面には耐火シートからなる防火スクリーンの幅方向端部を案内するガイドレール２が対向状に立設されている。
【００１０】
防火スクリーンは、スクリーン本体３とスクリーン本体３に対して開閉可能に設けられたスクリーンドア４とを有しており、スクリーンドア４を開放することで、スクリーン本体３に避難口を形成するように構成されている。スクリーンドア４は、それを開放することでスクリーン本体３に避難口を形成できるものであれば、スクリーン本体３とスクリーンドア４とが同じシート体から構成されていても、あるいは、別個のシート体から構成されていてもよい。図示のものでは、スクリーン本体３を構成するシート体の一部がスクリーンドア４を構成している。
【００１１】
スクリーンドア４の戸先側の端部は、スクリーン本体３に対して重合するようになっており、開口部閉鎖時には、スクリーンドア４とスクリーン本体３との間に重合部位５を設けるようにして、火災側と非火災側との間に連通孔が形成されるのを防止している。実施の形態では、図１下図、図３、図５から明らかなように、スクリーンドア４は、スクリーン本体３の両面に設けてある。
【００１２】
スクリーン本体３は、開口部全幅に対応する幅寸法を有しており、スクリーン本体３の下端には、開口幅全体に延出する座板６が設けてある。座板６は、垂直状の面部からなる立ち上がり部７と水平状の面部からなるフラット部８とから略逆Ｔ形状の断面を有している。座板６は、立ち上がり部７を介してスクリーン本体３の下端に連結され、開口部全閉時にはフラット部８の下面が床面に当接するようになっている。また、立ち上がり部７は、スクリーンドア４の下端に対応する部位において切り欠かれており、座板６は開口幅全体に延出するフラット部８とスクリーンドア４に対応する部位を切り欠いてなる立ち上がり部７とから形成されている。
【００１３】
スクリーンドア４の下端には、座板６とは別体のドア部座板９が設けてある。ドア部座板９は、板状の立ち上がり部を有し、該立ち上がり部の下端にはカバー体が設けてある。ドア部座板９の立ち上がり部は、座板６の立ち上がり部７と同様、垂直状の面部からなる。ドア部座板９は、上述した座板６の立ち上がり部７の切り欠き部に対応して配設される。ドア部座板９の一方の端部（スクリーンドア４の戸先側に対応する端部）は自由端であり、一方、ドア部座板９の他方の端部（スクリーンドア４の戸尻側に対応する端部）は、丁番１０を介して座板６の立ち上がり部７に連結されている。スクリーンドア４の下端のドア部座板９は、戸尻側の丁番１０を介して座板６の立ち上がり部７に対して回動自在となっている。図１下図は、ドア部座板９が回動した状態を示しており、この状態においては、スクリーンドア４が開放されており、スクリーン本体３に避難口が形成される。
【００１４】
図２は、丁番の平面図、正面図、側面図であって、丁番１０は、軸部を介して互いに回動可能に連結された第１板状体１１と第２板状体１２とを有している。第１板状体１１は、座板６の立ち上がり部７に装着されるものであって、立ち上がり部７と同様に、垂直方向に延出する本体１１０と、本体１１０の先端側に一体的に形成した傾斜部１１１と、傾斜丁番部材１１２とを有する。傾斜丁番部材１１２の基端側は螺子１４とナット１５を介して傾斜部１１１に固着されており、傾斜丁番板材１１２の先端側には、丁番１０のピン１３を受け入れるピン受部が形成されている。
【００１５】
本体１１０は水平状の上辺１１０ａと傾斜状の下辺１１０ｂを有し、下辺１１０ｂは、丁番１０の軸部から離隔する方向に、上方に向かって緩やかに傾斜状に延出している。下辺１１０ｂの延出端には垂直辺１１０ｃと傾斜辺とからなる段部が形成されており、該傾斜辺には本体１１０の面部に対して垂直に延出する取付片１１０ｄが折曲形成されており、取付片１１０ｄには取付孔１１０ｅが形成されている。さらに、第１板状体１１の本体１１０には、丁番１０の軸部に近接する側に円形状の螺子孔１１０ｆが、丁番１０の軸部から離隔する側に円弧状の長孔１１０ｇがそれぞれ形成されている。具体的には、螺子孔１１０ｆは、丁番１０の軸部に近接する側で、かつ、下辺１１０ｂに近接する部位に形成されており、長孔１１０ｇは、丁番１０の軸部から離隔する側で、かつ、下辺１１０ｂに近接する部位から上方に向って円弧状に延出形成されている。
【００１６】
第２板状体１２は、ドア部座板９に装着されるものであって、ドア部座板９と同様に、垂直方向に延出する本体１２０と、本体１２０の先端側に一体的に形成した傾斜部１２１と、傾斜丁番部材１２２とを有する。傾斜丁番部材１２２の基端側は螺子１４とナット１５を介して傾斜部１２１に固着されており、傾斜丁番板材１２２の先端側には、丁番１０のピン１３を受け入れるピン受部が形成されている。本体１２０は長方形状を有しており、左右方向に間隔を存して２つの穿孔１２０ａ、１２０ｂが設けてある。
【００１７】
第１板状体１１において、本体１１０と傾斜部１１１とは段部を形成する連結部１１３を介して連結されており、連結部１１３は上側が頂部、下側が底辺の側面視略三角形状を有している。また、第２板状体１２において、本体１２０と傾斜部１２１とは段部を形成する連結部１２３を介して連結されており、連結部１２３は上側が頂部、下側が底辺の側面視略三角形状を有している。したがって、傾斜部１１１、１２１、傾斜丁番部材１１２、１２２、丁番の軸部を構成するピン１３は、その下端側が本体１１０を構成する面から離隔するように傾斜して設けられている。そして、第１板状体１１と第２板状体１２とは、傾斜丁番部材１１２，１２２の受孔に装着される傾斜状の姿勢を有するピン１３を介して互いに回動可能に連結される。また、このように構成された丁番１０を防火スクリーンに用いた場合には、スクリーンドア４の閉鎖状態において、丁番１０の軸部を構成するピン１３は、その下端側がスクリーンドアの面から離隔するように傾斜する。
【００１８】
図２に示す丁番は、防火スクリーンのスクリーンドアのドア部座板の基端部位に適用する場合に好適な形状を示したものであるが、本願発明に係る丁番はドア部用丁番として、扉体が閉まる寸前でも、該扉体に十分な閉鎖力を持たせたいような場合に用いることも可能である。また、図示のものでは、丁番の両方の板状体に受孔があり、共通の軸部を有するものを示したが、丁番の形状や構成は、軸部が面部に対して傾斜状であれば、図示のものに限定されず、一方の板状体に軸部、他方の板状体に受け部を有する（所謂、旗蝶番で構成する）ものでもよい。また、図示のものでは、傾斜部と傾斜丁番部材を異なる部材から構成したが、これらを一部材で形成してもよい。丁番の種類も図示ものに限定されず、例えば、軸部にベアリングを有するものであってもよい。
【００１９】
ドア部座板９と丁番１０、座板６と丁番１０の連結について図４に基づいて説明する。先ず、丁番１０とドア部座板９との連結について説明する。丁番１０の第２板状体１２は、本体１２０をドア部座板９の垂直状の面部の基端側に重合させて、穿孔部１２０ａ、１２０ｂにおいて、螺子１６を用いてドア部座板９に固着される。
【００２０】
次に、丁番１０と座板６との連結について説明する。丁番１０の第１板状体１１の本体１１０を座板６の立ち上がり部７の面部に重合させて、穿孔部１１０ｆにおいて、螺子１７を用いて両者を連結する。座板６の立ち上がり部７には、丁番１０の第１板状体１１の取付片１１０ｄに対向して取付片７０が設けてあり、取付片７０には図示しない螺子孔が形成されている。取付片１１０ｄの螺子孔１１０ｅと取付片７０の螺子孔とに掛け渡すようにして傾斜調整螺子１８が設けてある。傾斜調整螺子１８によって取付片１１０ｄと取付片７０との間隔を変更することで、螺子１７を回動支点として、ドア部座板９の角度を調整することができる。そして、ドア部座板９の角度を選択し、長孔１１０ｇにおいて、本体１１０と立ち上がり部７とを螺子１９によって固定する。ドア部座板９は（その自重により）先端側（戸先側）が下方に下がる傾向があるので、ドア部座板９の延出方向に角度を付けることで、予め先端側を上げて装着することが望ましい。
【００２１】
図５は、図１上図におけるドア部座板９を詳細に示す図であって、ドア部座板９の戸尻側部位及び戸先側部位の平面図、正面図、及び該正面図に示す線に沿った断面図である。Ｑ―Ｑ´断面図およびＲ―Ｒ´断面図は戸尻側に対応しており、Ｓ―Ｓ´断面図、Ｘ―Ｘ´断面図、及びＹ―Ｙ´断面図は戸先側に対応している。Ｑ―Ｑ´断面図に示すように、座板６の立ち上がり部７を挟持するようにして、立ち上がり部７の両側の面部に丁番１０の第１板状体１１が固着されている。また、Ｒ―Ｒ´断面図に示すように、それぞれの丁番１０の第２板状体１２の外側面には、ドア部座板９がそれぞれ固着されている。Ｒ―Ｒ´断面図及びＳ―Ｓ´断面図から明らかなように、ドア部座板９の両端部を除く部位においては、座板６は立ち上がり部７を有せず、フラット部８のみである。Ｘ―Ｘ´断面図及びＹ―Ｙ´断面図においてシート本体３及びスクリーンドア４の両方が図示されていることから、これらの部位が図１に示す重合部位５に対応していることがわかる。
【００２２】
ドア部座板９の自由端と座板６の立ち上がり部７とは係着手段を介して係脱自在となっており、係着手段としては、好適には、磁着手段が例示される。具体的には、図５のＹ―Ｙ´断面図に示すように、ドア部座板９の面部に鉄等の強磁性体からなる磁着プレート２０を設け、座板６の立ち上がり部７の面部に磁石２１を設け、磁力によって、ドア部座板９の自由端と座板６の立ち上がり部７とを係脱自在に装着させる。
【００２３】
このように構成された防火スクリーンにおいて、人が防火スクリーンによって閉じ込められた場合には、人力でスクリーンドア４の戸先側の磁着手段を解除し、スクリーンドア４を開放することで脱出する。開放されたスクリーンドア４は、スクリーンドア４の下端に設けたドア部座板９の自重で閉鎖位置に復帰する。ここで、丁番の軸部（ピン１３）は、スクリーンドア４の閉鎖状態において、軸部（ピン１３）の下端側がスクリーンドア４の面から離隔するように傾斜させたので、スクリーンドア４の閉鎖状態においても、スクリーンドア４には、さらに閉鎖方向の力が作用することになる。したがって、本発明に係る丁番は、従来の丁番に比べて、より大きい閉鎖力を提供することができる。さらに、図２の側面図に示す傾斜角度αを調整することで、かかる閉鎖力をドアの大きさに応じて調整することも可能である。
【００２４】
【発明の効果】
本発明は以上のとおり軸部が傾斜した丁番を採用するものであって、該軸部の傾斜角度を変えることによって、ドア部の大きさに応じてドア部の閉鎖力を調整することができる。また、スクリーンドアが閉った状態であっても、スクリーンドアに対して閉鎖方向の力を作用させるような十分な閉鎖力があるので、スクリーンドアが開放された場合であっても、該ドアを完全に閉鎖することができ、さらに、該ドアが閉まった状態において、スクリーンドアとスクリーン本体との間に隙間が生じることがない。また、予めスクリーンを撓ませた場合であっても、スクリーンドアを良好に閉鎖することができる。
【図面の簡単な説明】
【図１】上図は、防火用シャッターの全体正面図であり、下図は、スクリーンドアが開放された状態を示す底面図である。
【図２】丁番の平面図、正面図、側面図である。
【図３】上図は丁番近傍の平面図であって、丁番の第２板状体が回動した状態（スクリーンドア開放）を示している。下図は丁番近傍の平面図であって、丁番の第１板状体と第２板状体とが平行した状態（スクリーンドア閉鎖）を示している。
【図４】丁番近傍の側面図であって、ドア部座板が座板に対して傾斜した状態を示している。
【図５】ドア部座板を詳細に示す図であって、ドア部座板の戸尻側部位、戸先側部位の平面図、正面図、及び該正面図に示す線に沿った断面図である。
【図６】防火スクリーンの下方部位を予め撓ませた状態を示す防火スクリーンの斜視図である。
【図７】従来の丁番を例示する図である。
【符号の説明】
３  スクリーン本体
４  スクリーンドア
６  座板
７  立ち上がり部
８  フラット部
９  ドア部座板
１０    丁番
１１    第１板状体
１２    第２板状体
１３    ピン
【図１】
2004150050.tif 000003
【図２】
2004150050.tif 000004
【図３】
2004150050.tif 000005
【図４】
2004150050.tif 000006
【図５】
2004150050.tif 000007
【図６】
2004150050.tif 000008
【図７】
2004150050.tif 000009